(57)【要約】【課題】マスクを取り付ける対象物に安定して装着されるマスク付属具を提供する。【解決手段】マスク及び該マスクを取り付ける対象物の間に設けられるマスク付属具において、対象物側にて拡開した環状をなし、内周面が前記対象物の表面に倣った形状を有する本体と、該本体の対象物側に形成されており、前記対象物の少なくとも一部を挿入して前記本体を前記対象物に係止させる凹部とを備えることを特徴とする。マスク付属具は、対象物の表面、例えば顔面に倣った形状を有するので、マスク付属具が対象物に密着し易い。【選択図】図４
2017078231.tif 000002
【特許請求の範囲】
【請求項１】
マスク及び該マスクを取り付ける対象物の間に設けられるマスク付属具において、
対象物側にて拡開した環状をなし、内周面が前記対象物の表面に倣った形状を有する本体と、
該本体の対象物側に形成されており、前記対象物の少なくとも一部を挿入して前記本体を前記対象物に係止させる凹部と
を備えることを特徴とするマスク付属具。
【請求項２】
前記マスクを前記本体との間で狭持する狭持部を備えること
を特徴とする請求項１に記載のマスク付属具。
【請求項３】
前記狭持部はＣ状をなす紐であり、
前記紐の両端部は前記凹部の両側にそれぞれ固定されており、
前記本体の径方向にて前記凹部の反対側に位置しており、前記紐の中途部を係止する係止部を備えること
を特徴とする請求項２に記載のマスク付属具。
【請求項４】
前記本体の軸方向にて前記凹部の反対側に位置しており、前記マスクを掛止する径方向外向きに突出した突起を備えること
を特徴とする請求項１から３のいずれか一つに記載のマスク付属具。
【請求項５】
前記径方向にて前記凹部に対向し、前記径方向に沿った軸回りに枢動可能な枢動部を備えること
を特徴とする請求項１から４のいずれか一つに記載のマスク付属具。
【発明の詳細な説明】
【技術分野】
【０００１】
本発明は、マスク及び該マスクを取り付ける対象物の間に設けられるマスク付属具に関する。
【背景技術】
【０００２】
従来、顔面とマスクの間からウイルス及び花粉等の侵入を防ぐ為の環状のマスク補助具が提案されている。マスク補助具はマスクの内側に固定され、鼻の周りを囲むようにして、マスクと共に顔面に装着される（特許文献１参照）。
【先行技術文献】
【特許文献】
【０００３】
【特許文献１】特開２０１０−１２５３０２号公報
【発明の概要】
【発明が解決しようとする課題】
【０００４】
しかし特許文献１に記載のマスク補助具は、顔面に安定して装着されないおそれがあった。
【０００５】
本発明は斯かる事情に鑑みてなされたものであり、マスクを取り付ける対象物に安定して装着されるマスク付属具を提供することを目的とする。
【課題を解決するための手段】
【０００６】
本発明に係るマスク付属具は、マスク及び該マスクを取り付ける対象物の間に設けられるマスク付属具において、対象物側にて拡開した環状をなし、内周面が前記対象物の表面に倣った形状を有する本体と、該本体の対象物側に形成されており、前記対象物の少なくとも一部を挿入して前記本体を前記対象物に係止させる凹部とを備えることを特徴とする。
【０００７】
本発明においては、対象物の表面、例えば顔面に倣った形状を有するので、マスク付属具が対象物に密着し易い。また凹部に対象物の少なくとも一部、例えば鼻が挿入されるのでマスク付属具が対象物に係止され易い。
【０００８】
本発明に係るマスク付属具は、前記マスクを前記本体との間で狭持する狭持部を備えることを特徴とする。
【０００９】
本発明においては、狭持部と本体との間でマスクを狭持するので、本体の内側に花粉等の塵埃が侵入し難くなる。
【００１０】
本発明に係るマスク付属具は、前記狭持部はＣ状をなす紐であり、前記紐の両端部は前記凹部の両側にそれぞれ固定されており、前記本体の径方向にて前記凹部の反対側に位置しており、前記紐の中途部を係止する係止部を備えることを特徴とする。
【００１１】
本発明においては、係止部に紐が係止され、紐と本体との間でのマスクの狭持を実現する。
【００１２】
本発明に係るマスク付属具は、前記本体の軸方向にて前記凹部の反対側に位置しており、前記マスクを掛止する径方向外向きに突出した突起を備えることを特徴とする。
【００１３】
本発明においては、突起にマスクが掛止されるので、マスク付属具からマスクが外れ難い。
【００１４】
本発明に係るマスク付属具は、前記径方向にて前記凹部に対向し、前記径方向に沿った軸回りに枢動可能な枢動部を備えることを特徴とする。
【００１５】
本発明においては、径方向沿った軸回りに枢動部を回転させることができるので、必要に応じて、本体の姿勢を調整することができる。
【発明の効果】
【００１６】
本発明に係るマスク付属具にあっては、対象物の表面、例えば顔面に倣った形状を有するので、マスク付属具が対象物に密着し易い。また凹部に対象物の少なくとも一部、例えば鼻が挿入されるのでマスク付属具が対象物に係止され易い。そのため、ユーザはマスク付属具を対象物に対して安定に装着することができる。
【図面の簡単な説明】
【００１７】
【図１】実施の形態１に係るマスク付属具を略示する正面図である。
【図２】マスク付属具を略示する平面図である。
【図３】マスク付属具を略示する側面図である。
【図４】マスク付属具を略示する斜視図である。
【図５】紐を本体に係止させたマスク付属具を略示する正面図である。
【図６】マスク付属具の使用状態を説明する説明図である。
【図７】図６に示すＶＩＩ−ＶＩＩ線を切断線とした略示部分拡大断面図である。
【図８】実施の形態２に係るマスク付属具を略示する正面図である。
【図９】分離した枢動部を略示する部分拡大正面図である。
【発明を実施するための形態】
【００１８】
（実施の形態１）
以下本発明を実施の形態１に係るマスク付属具を示す図面に基づいて説明する。図１は、マスク付属具を略示する正面図、図２は、マスク付属具を略示する平面図、図３は、マスク付属具を略示する側面図、図４は、マスク付属具を略示する斜視図である。以下の説明では、説明を容易にするため、図に示す上下左右前後を使用する。
【００１９】
マスク付属具は本体１と紐１０とを備える。本体１は、前後方向を軸方向とした環状をなし、正面視において、丸みを帯びた三角形状をなす。なお本体１の軸心に交差する方向を径方向といい、左右方向及び上下方向は径方向に含まれる。
【００２０】
以下、説明を容易にするため、本体１の一の頂点が上側に位置し、他の二つの頂点が右下及び左下に位置する場合について説明する。図４に示すように、本体１の開口は、後側が前側よりも拡開している。
【００２１】
本体１の内周面１ａは、前側から後側に向かうに従って、径方向外向きに拡がっており、マスクを取り付ける顔面（対象物）に対向するように、内周面１ａの後側が露出している。内周面１ａの表面形状は、人間工学に基づいて、設計されており、顔面の凹凸に倣った形状をなす。本体１の内周部分は柔軟な部材（例えばシリコン部材又は発泡ポリウレタン部材等）によって構成されている。
【００２２】
図２及び図４に示すように、本体１上部の頂点付近において、本体１の後部に、鼻（対象物の少なくとも一部）を挿入するための凹部２が形成されている。図３に示すように、前記頂点付近において、マスクを掛止させるための突起３が本体１に設けられている。該突起３は本体１の前縁部から上方に突出しており、後方に向けて若干反っている。
【００２３】
本体１下部の二つの頂点付近それぞれに、後述する紐１０を係止する係止部４が設けられている。係止部４は、本体１の内周縁部から前方に突出している。係止部４の突出端部は、径方向外向きに湾曲して延びている。すなわち、右側の係止部４の突出端部は右方に延び、左側の係止部４の突出端部は左方に延びている。本体１下部において、外周面１ｂには、紐１０を係合させるための窪み１ｃが形成されている。窪み１ｃは上側に突出した曲面をなす。
【００２４】
本体１には、Ｃ状をなす紐１０が設けられている。図２に示すように、紐１０の両端部は、凹部２の右側及び左側それぞれに固定されている。紐１０は弾性を有する。
【００２５】
図５は、紐１０を本体１に係止させたマスク付属具を略示する正面図、図６は、マスク付属具の使用状態を説明する説明図、図７は、図６に示すＶＩＩ−ＶＩＩ線を切断線とした略示部分拡大断面図である。
【００２６】
マスク６０の左右両側それぞれに、弾性を有する環状のバンド６１が設けられている。バンド６１は弾性力に抗して伸ばされ、ユーザの耳に掛止される。マスク付属具はマスク６０及び顔面５０の間に装着され、バンド６１の弾性復元力によって、顔面５０に押しつけられる。ユーザは凹部２に鼻５２を挿入させて、本体１を鼻腔５３及び口５１の周囲に配置させることができる。すなわち、鼻腔５３及び口５１を本体１の内側に位置させることができる。
【００２７】
上述したように、内周面１ａの表面形状は顔面５０の凹凸に応じた形状をなすので、マスク付属具を顔面５０に装着した場合、本体１の内周面１ａは顔面５０に密着し易い。
【００２８】
紐１０は、マスク６０の上縁部と顔面５０との隙間を通って、マスク６０の外側に出されている。紐１０は、弾性力に抗して伸ばされ、二つの係止部４と窪み１ｃとに係止される。すなわち、窪み１ｃも紐１０を係止する係止部として機能する。紐１０及び本体１の間でマスク６０は挟まれる。そのため、鼻腔５３及び口５１の周囲において、マスク６０が本体１に押しつけられ、マスク６０と本体１との隙間を小さくすることができ、本体１の内周面１ａは顔面５０に密着することと相俟って、本体１の内側には、塵埃又は花粉等が侵入し難くなる。
【００２９】
図７に示すように、ユーザはマスク６０の上縁部を突起３に掛止させることができる。マスク６０の上縁部が突起３に掛止している場合、紐１０の弾性復元力によって、マスク６０が下側に引っ張られても、マスク６０は下方に移動し難く、マスク６０の位置を維持させることができる。また突起３は後方に向けて反っているので、前方から掛止したマスク６０は一層外れ難い。
【００３０】
実施の形態１に係るマスク付属具にあっては、対象物の表面、例えば顔面５０に倣った形状を有するので、マスク付属具が対象物に密着し易い。また凹部２に対象物の少なくとも一部、例えば鼻５２が挿入されるのでマスク付属具が対象物に係止され易い。そのため、ユーザはマスク付属具を対象物に対して安定に装着させることができる。
【００３１】
また紐１０と本体１との間でマスク６０を狭持するので、本体１の内側に花粉等の塵埃が侵入し難くなる。また係止部４に紐１０が係止され、紐１０と本体１との間でのマスク６０の狭持を実現することができる。また突起３にマスク６０が掛止されるので、マスク６０の移動を防止し、マスク６０を本体１から外れ難くさせることができる。
【００３２】
なお実施の形態１においては、紐１０が設けられているが、紐１０を設けなくてもよい。この場合でも、マスク付属具は、バンド６１の弾性復元力によって、マスク６０及び顔面５０の間に狭持される。
【００３３】
なお突起３及び二つの係止部４は、一体的に連なっていてもよい。すなわち、突起３と係止部４との間及び二つの係止部４、４の間に、互いを連結する部分があってもよい。
【００３４】
（実施の形態２）
以下本発明を実施の形態２に係るマスク付属具を示す図面に基づいて説明する。実施の形態２に係る構成の内、実施の形態１と同様な構成については同じ符号を付し、その詳細な説明を省略する。図８は、マスク付属具を略示する正面図、図９は、分離した枢動部６を略示する部分拡大正面図である。
【００３５】
本体１上部の頂点に対して径方向に対向する本体１の部分、換言すれば、図１において右下及び左下に位置する二つの頂点の間の部分は枢動部６を構成している。枢動部６は、左右に分離可能に構成された左側の第１部６ａ及び右側の第２部６ｂを備える。
【００３６】
第１部６ａの先端部に、上下に貫通した枢軸７が設けられている。枢軸７の上下端部にフランジ８がそれぞれ設けられている。フランジ８の直径は、第１部６ａにおける枢軸７が貫通した穴の直径よりも大きく、枢軸７は第１部６ａから抜けない。
【００３７】
第２部６ｂの先端部に、枢軸７に係合する係合凹部６ｃ（係合部）が形成されている。第２部６ｂの先端部は、フランジ８と第１部６ａとの間に右側から挿入され、係合凹部６ｃは枢軸７の周面に係合する。第１部６ａ及び第２部６ｂは、枢軸７回りに回動することができる。なお第２部６ｂに枢軸７を設け、第１部６ａに係合凹部６ｃを設けてもよい。
【００３８】
実施の形態２に係るマスク付属具にあっては、枢動部６を枢軸７回りに回転させることができるので、必要に応じて、本体１の姿勢を調整することができる。例えば、ユーザの口５１の左右幅、鼻腔５３の位置又は頬の曲面具合等に対応させて、枢動部６を枢軸７回りに回転させることによって、個々のユーザの顔の態様に対応させて、本体１を密着させることができる。
【００３９】
実施の形態２においては、第１部６ａ及び第２部６ｂに、枢軸７及び係合凹部６ｃが設けられているが、第１部６ａ及び第２部６ｂが分離可能且つ回動可能な構成であればよく、これに代えて、第１部６ａ及び第２部６ｂに他の構成が設けられてもよい。例えば、枢軸７及び該枢軸７の端部が回動可能に係合する凹部を備えるスナップボタンを設けてもよい。すなわち、スナップボタンの枢軸７を、第１部６ａ又は第２部６ｂの一方に設け、凹部を他方に設けてもよい。
【００４０】
また枢動部６を分離可能に構成せずに、枢動可能に構成してもよい。例えば、第１部６ａ及び第２部６ｂに枢軸を貫通させて、第１部６ａ及び第２部６ｂを一体的に連結させてもよい。
【００４１】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４２】
１  本体
１ｃ  窪み（係止部）
２  凹部
３  突起
４  係止部
６  枢動部
６ａ  第１部
６ｂ  第２部
６ｃ  係合凹部（係合部）
７  枢軸
８  フランジ
１０  紐
６０  マスク
【図１】
2017078231.tif 000003
【図２】
2017078231.tif 000004
【図３】
2017078231.tif 000005
【図４】
2017078231.tif 000006
【図５】
2017078231.tif 000007
【図６】
2017078231.tif 000008
【図７】
2017078231.tif 000009
【図８】
2017078231.tif 000010
【図９】
2017078231.tif 000011